(57)【要約】【課題】サブ画素ごとに発光用のパターンを形成する必要がある表示装置において、容易に解像度を向上できるようにする。【解決手段】表示装置は、それぞれ互いに異なる色の光を放出する第１発光部、第２発光部、及び第３発光部を含む、画素ユニットを含む。前記表示装置は、(i)薄膜トランジスタ基板、(ii)前記薄膜トランジスタ基板上に配置され、互いに異なる画素ユニットにそれぞれ含まれる８個の第１発光部を含む第１発光部グループ、(iii)前記薄膜トランジスタ基板上に配置され、互いに異なる画素ユニットにそれぞれ含まれる８個の第２発光部を含む第２発光部グループ、及び、(iv)前記薄膜トランジスタ基板上に配置され、互いに異なる画素ユニットにそれぞれ含まれる４個の第３発光部を含む第３発光部グループを含む。【選択図】図２
2020190716.tif 000002
【特許請求の範囲】
【請求項１】
それぞれ互いに異なる色の光を放出する第１発光部、第２発光部、及び第３発光部を含む画素ユニットを含む表示装置において、
薄膜トランジスタ基板と、
前記薄膜トランジスタ基板上に配置され、互いに異なる画素ユニットにそれぞれ含まれる８個の第１発光部を含む第１発光部グループと、
前記薄膜トランジスタ基板上に配置され、互いに異なる画素ユニットにそれぞれ含まれる８個の第２発光部を含む第２発光部グループと、
前記薄膜トランジスタ基板上に配置され、互いに異なる画素ユニットにそれぞれ含まれる４個の第３発光部を含む第３発光部グループとを含む、表示装置。
【請求項２】
前記第１発光部グループ、前記第２発光部グループ、及び前記第３発光部グループは、複数個が形成されて、前記薄膜トランジスタ基板上に、第１方向、及び、前記第１方向と交差する第２方向に沿って、マトリックスの形態に配列され、
単位面積当たりの前記第３発光部グループの個数は、前記第１または第２発光部グループについての単位面積当たりの個数の２倍であることを特徴とする、請求項１に記載の表示装置。
【請求項３】
前記マトリックスの形態に配列された前記第１乃至第３発光部グループのうち、隣り合う２つの発光部グループは、その中心同士の間が第１距離（ｄ）だけ離隔され、
互いに最も近くに位置する２つの前記第１発光部グループは、その中心同士の間の距離が、前記第１距離（ｄ）の２倍である、第２距離（２ｄ）であることを特徴とする、請求項２に記載の表示装置。
【請求項４】
互いに最も近くに配置される３個の発光部としての、第１発光部、第２発光部、及び第３発光部が、１つの画素ユニットをなすことを特徴とする、請求項２に記載の表示装置。
【請求項５】
前記１つの画素ユニットは、平面図における一つの三角形の領域内にて、前記第１発光部、前記第２発光部、及び第３発光部が、この三角形の領域の３つの隅角部をそれぞれ埋めるように配置されて形成されることを特徴とする、請求項４に記載の表示装置。
【請求項６】
前記三角形は、直角二等辺三角形であることを特徴とする、請求項５に記載の表示装置。
【請求項７】
前記第１発光部は緑色光を放出し、前記第２発光部は赤色光を放出し、前記第３発光部は青色光を放出することを特徴とする、請求項５に記載の表示装置。
【請求項８】
前記第３発光部は赤色光または緑色光を放出することを特徴とする、請求項５に記載の表示装置。
【請求項９】
互いに最も近くに位置する２つの前記第３発光部グループは、その中心同士の間の距離が、前記第１距離（ｄ）より大きく、前記第２距離（２ｄ）より小さいことを特徴とする、請求項２に記載の表示装置。
【請求項１０】
前記第１発光部グループは、
８個の前記第１発光部にそれぞれ対応する８個の画素電極と、
前記８個の画素電極にまとめて重ねられる１つの発光層と、
前記発光層と重ねられる対向電極とを含むことを特徴とする、請求項１に記載の表示装置。
【請求項１１】
前記第１発光部グループは、平面図における輪郭が、円形または多角形をなすことを特徴とする、請求項１０に記載の表示装置。
【請求項１２】
前記薄膜トランジスタ基板上に配置され、開口が形成された発光部グループ区画膜をさらに含み、
前記発光層は、前記発光部グループ区画膜における前記開口内に配置されることを特徴とする、請求項１０に記載の表示装置。
【請求項１３】
前記発光部グループ区画膜における前記開口内に配置される発光部区画膜をさらに含み、
前記発光部区画膜は、平面図にて、一の前記画素電極と、他の一の前記画素電極との間に配置されることを特徴とする、請求項１２に記載の表示装置。
【請求項１４】
前記発光部グループ区画膜は撥液性物質を含み、前記発光部区画膜は親液性物質を含むことを特徴とする、請求項１３に記載の表示装置。
【請求項１５】
前記発光層はインクジェットプリンティングにより形成されることを特徴とする、請求項１２に記載の表示装置。
【請求項１６】
前記第１発光部グループ、前記第２発光部グループ、及び前記第３発光部グループのうちの少なくとも１つの発光部グループは、他の２つの発光部グループと、そのサイズが異なることを特徴とする、請求項１に記載の表示装置。
【請求項１７】
前記第１乃至第３発光部グループは、いずれも、平面図における輪郭が、円形をなすことを特徴とする、請求項１に記載の表示装置。
【請求項１８】
互いに異なる色の光をそれぞれ放出する第１発光部、第２発光部、及び第３発光部を含む画素ユニットを含む表示装置において、
薄膜トランジスタ基板と、
前記薄膜トランジスタ基板上に配置される第１画素電極及び第２画素電極と、
前記薄膜トランジスタ基板上に配置され、開口を形成する発光部グループ区画膜と、
前記第１及び第２画素電極を覆うように、前記発光部グループ区画膜における前記開口内に配置される発光層と、
前記発光層上に配置される対向電極とを含み、
前記第１画素電極及び前記第２画素電極は、第１の画素ユニットの第１発光部、及び、第１の画素ユニットとは異なる第２の画素ユニットの第１発光部に、それぞれ含まれることを特徴とする、表示装置。
【請求項１９】
前記発光部グループ区画膜における前記開口内に配置される発光部区画膜をさらに含み、
前記発光部区画膜は、平面図にて、前記第１画素電極と、前記第２画素電極との間に配置され、
前記発光部グループ区画膜は撥液性物質を含み、前記発光部区画膜は親液性物質を含むことを特徴とする、請求項１８に記載の表示装置。
【請求項２０】
前記１つの画素ユニットは、平面図における一つの三角形の領域内にて、前記第１発光部、前記第２発光部、及び第３発光部が、この三角形の領域の３つの隅角部をそれぞれ埋めるように配置されて形成されることを特徴とする、請求項１８に記載の表示装置。
【発明の詳細な説明】
【技術分野】
【０００１】
本発明は表示装置に関し、より詳しくは、解像度が向上した表示装置に関する。
【背景技術】
【０００２】
最近、技術が発展するにつれて、小型、軽量化し、かつ性能はより優れるディスプレイ製品が生産されている。今までディスプレイ装置には既存のブラウン管テレビ（cathode ray tube：ＣＲＴ）が性能や価格面で多くの長所を有して広く使われたが、小型化または携帯性の面でＣＲＴの短所を克服し、小型化、軽量化、及び低電力消費などの長所を有する表示装置、例えば、プラズマ表示装置、液晶表示装置、及び有機発光表示装置などが注目を受けている。
【０００３】
前記表示装置は映像を表示するために、マトリックス形態に配列される複数の画素ユニットを含む。前記１つの画素ユニットは個別的に駆動され、赤色光を放出する赤色サブ画素、緑色光を放出する緑色サブ画素、及び、青色光を放出する青色サブ画素を含むことができる。
【０００４】
ここで、有機発光表示装置などにおいて、前記各々のサブ画素を構成する発光層は多様な方法により形成できるが、前記表示装置の解像度が向上するにつれて、前記発光層のパターン形成に困難性があった。
【発明の概要】
【発明が解決しようとする課題】
【０００５】
ここに、本発明の技術的課題はこのような点から着眼したものであって、本発明の目的は解像度が向上した表示装置を提供することにある。
【課題を解決するための手段】
【０００６】
前記した本発明の目的を実現するための一実施形態に従う表示装置は、それぞれ互いに異なる色の光を放出する第１発光部、第２発光部、及び第３発光部を含む、画素ユニットを含む。前記表示装置は、(i)薄膜トランジスタ基板、(ii)前記薄膜トランジスタ基板上に配置され、互いに異なる画素ユニットにそれぞれ含まれる８個の第１発光部を含む第１発光部グループ、(iii)前記薄膜トランジスタ基板上に配置され、互いに異なる画素ユニットにそれぞれ含まれる８個の第２発光部を含む第２発光部グループ、及び、(iv)前記薄膜トランジスタ基板上に配置され、互いに異なる画素ユニットにそれぞれ含まれる４個の第３発光部を含む第３発光部グループを含む。
【０００７】
本発明の一実施形態において、前記第１発光部グループ、前記第２発光部グループ、及び前記第３発光部グループは、複数個が形成されて、前記薄膜トランジスタ基板上に第１方向、及び、前記第１方向と交差する第２方向に沿って、マトリックスの形態に配列されうる。単位面積当たりの前記第３発光部グループの個数は、前記第１または第２発光部グループについての単位面積当たりの個数の２倍でありうる。
【０００８】
本発明の一実施形態において、前記マトリックスの形態に配列された前記第１乃至第３発光部グループのうち、隣り合う２つの発光部グループは、その中心同士の間が第１距離（ｄ）だけ離隔されうる。互いに最も近くに位置する２つの前記第１発光部グループは、その中心同士の間の距離が、前記第１距離（ｄ）の２倍である、第２距離（２ｄ）でありうる。
【０００９】
本発明の一実施形態において、互いに最も近くに配置される３個の発光部としての、第１発光部、第２発光部、及び第３発光部が、１つの画素ユニットをなすことができる。
【００１０】
本発明の一実施形態において、前記１つの画素ユニットの前記第１発光部、前記第２発光部、及び第３発光部は、平面図における一つの三角形の領域内にて、この三角形の領域の３つの隅角部をそれぞれ埋めるように配置されうる。
【００１１】
本発明の一実施形態において、前記三角形形態は直角二等辺三角形でありうる。
【００１２】
本発明の一実施形態において、前記第１発光部は緑色光を放出し、前記第２発光部は赤色光を放出し、前記第３発光部は青色光を放出することができる。
【００１３】
本発明の一実施形態において、前記第３発光部は赤色光または緑色光を放出することができる。
【００１４】
本発明の一実施形態において、互いに最も近くに位置する２つの前記第３発光部グループは、その中心同士の間の距離が、前記第１距離（ｄ）より大きく、前記第２距離（２ｄ）より小さいのでありうる。
【００１５】
本発明の一実施形態において、前記第１発光部グループは、８個の前記第１発光部にそれぞれ対応する８個の画素電極と、前記８個の画素電極にまとめて重ねられる１つの発光層と、前記発光層と重ねられる対向電極とを含むことができる。
【００１６】
本発明の一実施形態において、前記第１発光部グループは、平面図における輪郭が、円形または多角形でありうる。
【００１７】
本発明の一実施形態において、前記表示装置は前記薄膜トランジスタ基板上に配置され、開口が形成された発光部グループ区画膜をさらに含むことができる。前記発光層は、前記発光部グループ区画膜における前記開口内に配置できる。
【００１８】
本発明の一実施形態において、前記表示装置は、前記発光部グループ区画膜における前記開口内に配置される発光部区画膜をさらに含むことができる。前記発光部区画膜は、平面図にて、一の前記画素電極と、他の一の前記画素電極との間に配置されうる。
【００１９】
本発明の一実施形態において、前記発光部グループ区画膜は撥液性物質を含み、前記発光部区画膜は親液性物質を含むことができる。
【００２０】
本発明の一実施形態において、前記発光層はインクジェットプリンティングにより形成できる。
【００２１】
本発明の一実施形態において、前記第１発光部グループ、前記第２発光部グループ、及び前記第３発光部グループのうちの、少なくとも１つの発光部グループは、他の２つの発光部グループと、そのサイズが異なるのでありうる。
【００２２】
本発明の一実施形態において、前記第１乃至第３発光部グループは、いずれも、平面図における輪郭が、円形でありうる。
【００２３】
前記した本発明の目的を実現するための一実施形態に従う表示装置は、互いに異なる色の光をそれぞれ放出する第１発光部、第２発光部、及び第３発光部を含む画素ユニットを含む。前記表示装置は、(i)薄膜トランジスタ基板、(ii)前記薄膜トランジスタ基板上に配置される第１画素電極及び第２画素電極、(iii)前記薄膜トランジスタ基板上に配置され、開口を形成する発光部グループ区画膜、(iv)前記第１及び第２つの画素電極を覆うように、前記発光部グループ区画膜における前記開口内に配置される発光層、及び、(v)前記発光層上に配置される対向電極を含む。前記第１画素電極及び前記第２画素電極は、第１の画素ユニットの第１発光部、及び、第１の画素ユニットとは異なる第２の画素ユニットの第１発光部に、それぞれ含まれる。
【００２４】
本発明の一実施形態において、前記表示装置は前記発光部グループ区画膜の前記開口内に配置される発光部区画膜をさらに含むことができる。前記発光部区画膜は前記第１及び第２画素電極の間に配置できる。前記発光部グループ区画膜は撥液性物質を含み、前記発光部区画膜は親液性物質を含むことができる。
【００２５】
本発明の一実施形態において、前記１つの画素ユニットは、平面図における１つの三角形の領域内にて、前記第１発光部、前記第２発光部、及び第３発光部が、この、三角形の領域の３つの隅角部をそれぞれ埋めるように配置されて形成されうる。
【発明の効果】
【００２６】
本実施形態によれば、表示装置は複数の発光部グループを含む。１つの発光部グループは複数の画素にそれぞれ含まれる複数の発光部を含み、前記１つの発光部グループの発光層のパターニングにおける解像度より高い解像度で、発光部、即ちサブ画素を構成することができる。したがって、前記発光層のパターニングの解像力よりも高い解像度の表示装置を具現することができる。特に、前記表示装置は、互いに異なる色の光を放出する第１発光部グループ、第２発光部グループ、及び第３発光部グループを含み、前記第１発光部グループ及び前記第２発光部グループは、各々８個の発光部に分けられ、第３発光部グループは４個の発光部に分けられるので、前記発光層をプリンティングする解像力の４倍の解像度を具現することができる。
【００２７】
但し、本発明の効果は前記効果に限定されるのでなく、本発明の思想及び領域から逸脱しない範囲で多様に拡張できる。
【図面の簡単な説明】
【００２８】
【図１】本発明の一実施形態に従う表示装置の平面図である。
【図２】図１の表示装置の画素ユニットＰＸＵの配列の一部を示した平面図である。
【図３ａ】図２の表示装置の１つの第１発光部グループＧＰＸＧに対応する断面図である。
【図３ｂ】図２の表示装置の他の実施形態に従う、１つの第１発光部グループＧＰＸＧに対応する断面図である。
【図４】本発明の一実施形態に従う表示装置の画素ユニットＰＸＵの配列の一部を示した平面図である。
【図５】本発明の一実施形態に従う表示装置の画素ユニットＰＸＵの配列の一部を示した平面図である。
【図６】本発明の一実施形態に従う表示装置の画素ユニットＰＸＵの配列の一部を示した平面図である。
【図７】本発明の一実施形態に従う表示装置の画素ユニットＰＸＵの配列の一部を示した平面図である。
【図８】本発明の実施形態に従う電子機器を示すブロック図である。
【図９ａ】図８の電子機器が、テレビとして具現された一例を示す図である。
【図９ｂ】図８の電子機器が、スマートフォンとして具現された一例を示す図である。
【発明を実施するための形態】
【００２９】
以下、図面を参照して本発明の好ましい実施形態をより詳細に説明する。
【００３０】
図１は、本発明の一実施形態に従う表示装置の平面図である。
【００３１】
図１を参照すると、前記表示装置１０は映像が表示される表示領域内に配置される複数の画素ユニットＰＸＵ１、ＰＸＵ２を含むことができる。前記画素ユニットＰＸＵ１、ＰＸＵ２は第１方向（Ｄ１）及び前記第１方向（Ｄ１）と実質的に垂直な第２方向（Ｄ２）に沿って反復的に配列できる。
【００３２】
各々の前記画素ユニットＰＸＵ１、ＰＸＵ２は互いに異なる色の光を放出する第１サブ画素、第２サブ画素、及び第３サブ画素を含むことができる。例えば、前記第１サブ画素は緑色光を放出し、前記第２サブ画素は赤色光を放出し、前記第３サブ画素は青色光を放出するのでありうる。各々のサブ画素に対応して、各々の色の光を放出するための発光部が配置されうる。
【００３３】
例えば、前記第１サブ画素に対応して第１発光部（図２及び図３のＧ参照）が形成され、前記第２サブ画素に対応して第２発光部（図２及び図３のＲ参照）が形成され、前記第３サブ画素に対応して第３発光部（図３のＢ参照）が形成されるのでありうる。
【００３４】
図示したように、１つの画素ユニット（ＰＸＵ１またはＰＸＵ２）は前記第１方向（Ｄ１）及び前記第２方向（Ｄ２）に延長される２つの短辺を含む三角形の形態でありうる。例えば、第１画素ユニットＰＸＵ１は、前記第１方向（Ｄ１）に延長される底辺、前記第２方向（Ｄ２）に延長され、前記底辺と垂直な辺、及び斜辺で構成された三角形の形態を有することができる。前記第１画素ユニットＰＸＵ１と、これに前記第１方向（Ｄ１）から隣接する第２画素ユニットＰＸＵ２とは、斜辺同士を互いに近接して対向させた形態の、２つの三角形の形態を有することができる。
【００３５】
前述したように、各々の画素ユニット（ＰＸＵ１、ＰＸＵ２）には、互いに異なる色の光を放出する、前記第１発光部、前記第２発光部、及び前記第３発光部が含まれうる。
【００３６】
前記発光部の詳細な配置に関しては、図２に対する説明の箇所で、詳細に述べる。
【００３７】
前記表示装置は、複数のゲートライン、及び、前記ゲートラインと交差する複数のデータラインを、さらに含むことができる。前記ゲートラインは前記第１方向（Ｄ１）に延長され、前記データラインは前記第２方向（Ｄ２）に延長されるのでありうる。前記画素ユニットのサブ画素は、いずれも、それぞれの前記ゲートライン及び前記データラインに、電気的に連結されうる。
【００３８】
各サブ画素は、スイッチング素子（図示せず）、及び、前記スイッチング素子に電気的に連結される発光構造物（図３ａの画素電極１１０ａ、１１０ｂ、発光層１２０、及び対向電極１３０を参照）を含むことができる。
【００３９】
図２は、図１の表示装置の画素ユニットＰＸＵの配列の一部を示した平面図である。
【００４０】
図２を参照すると、前記表示装置は第１方向（Ｄ１）、及び、前記第１方向（Ｄ１）と交差する第２方向（Ｄ２）に沿って、一定の順に配列される第１発光部グループＧＰＸＧ、第２発光部グループＲＰＸＧ、及び第３発光部グループＢＰＸＧを含むことができる。
【００４１】
即ち、前記第１発光部グループＧＰＸＧ、前記第２発光部グループＲＰＸＧ、及び前記第３発光部グループＢＰＸＧは、複数個形成され、前記第１方向（Ｄ１）及び前記第２方向（Ｄ２）に沿ってマトリックスの形態に配列されうる。
【００４２】
ここで、前記マトリックスの形態に配列された前記第１乃至第３発光部グループＧＰＸＧ、ＲＰＸＧ、ＢＰＸＧのうちで、隣り合う２つの発光部グループは、その中心同士の間が第１距離（ｄ）だけ離隔されうる。
【００４３】
また、前記第１方向（Ｄ１）にて互いに最も近くに位置する２つの前記第１発光部グループＧＰＸＧは、その中心の間の距離が、前記第１距離（ｄ）の２倍である第２距離（２ｄ）でありうる。前記第１発光部グループＧＰＸＧ、前記第２発光部グループＲＰＸＧ、及び前記第３発光部グループＢＰＸＧが、互いに一定の間隔で配置された場合、前記第２方向（Ｄ２）にて互いに最も近くに位置する２つの前記第１発光部グループＧＰＸＧも、その中心の間の距離が前記第２距離（２ｄ）でありうる。この場合、互いに最も近くに位置する４個の前記第１発光部グループＧＰＸＧは、正方形の形態をなすように配置されうる。前記第１発光部グループＧＰＸＧは、反復して四角形の網目をなす網（格子）における結び目（格子点）ごとに位置する形態に配列されうる。
【００４４】
また、前記第１方向（Ｄ１）にて互いに最も近くに位置する２つの前記第２発光部グループＲＰＸＧも、その中心の間の距離が前記第２距離（２ｄ）でありうる。前記第１発光部グループＧＰＸＧ、前記第２発光部グループＲＰＸＧ、及び前記第３発光部グループＢＰＸＧが互いに一定の間隔で配置された場合、前記第２方向（Ｄ２）にて互いに最も近くに位置する２つの前記第２発光部グループＲＰＸＧも、その中心の間の距離が前記第２距離（２ｄ）でありうる。この場合、互いに最も近くに位置する４個の前記第２発光部グループＲＰＸＧは、正方形の形態をなすように配置されうる。前記第２発光部グループＲＰＸＧは、反復して四角形の網目をなす網（格子）における結び目（格子点）ごとに位置する形態に配列されうる。
【００４５】
一方、互いに最も近くに位置する２つの前記第３発光部グループＢＰＸＧは、その中心同士の間の距離が、前記第１距離（ｄ）より大きく、前記第２距離（２ｄ）より小さいのでありうる。例えば、前記第１発光部グループＧＰＸＧ及び前記第２発光部グループＲＰＸＧが、正方形の形態に配列（正方形の網目をなす直交格子の格子点ごとに配置）された場合、前記第３発光部グループＢＰＸＧは、前記第１及び第２方向（Ｄ１、Ｄ２）に対して４５度傾いた正方形をなす形態に配列されうる。ここで、互いに最も近くに位置する２つの前記第３発光部グループＢＰＸＧは、その中心同士の間の距離が、前記第１及び第２方向（Ｄ１、Ｄ２）に対して４５度傾いた方向に沿って、第１距離（ｄ）の√２倍でありうる。
【００４６】
これによって、単位面積当たり前記第３発光部グループＢＰＸＧの個数は、前記第１または第２発光部グループＧＰＸＧ、ＲＰＸＧの個数の２倍でありうる。これは、一般的に、青色光を放出する有機発光物質である青色素子の寿命が、他の色の光を放出する有機発光物質に比べて短いので、このような短い寿命を補完するためのものでありうる。
【００４７】
前記第１発光部グループＧＰＸＧは、互いに異なる画素ユニットに含まれる、８個の第１発光部Ｇを含むことができる。即ち、前記第１発光部グループＧＰＸＧは、８個のサブ画素に分けられ、１つの第１発光部グループＧＰＸＧ内の８個の前記第１発光部Ｇは、それぞれ、互いに異なる画素ユニットＰＸＵに含まれるようになる。
【００４８】
前記第２発光部グループＲＰＸＧは、互いに異なる画素ユニットに含まれる、８個の第２発光部Ｒを含むことができる。即ち、前記第２発光部グループＲＰＸＧは、８個のサブ画素に分けられ、１つの第２発光部グループＲＰＸＧ内の８個の前記第２発光部Ｒは、それぞれ、互いに異なる画素ユニットＰＸＵに含まれるようになる。
【００４９】
前記第３発光部グループＢＰＸＧは、互いに異なる画素ユニットに含まれる、４個の第３発光部Ｂを含むことができる。即ち、前記第３発光部グループＢＰＸＧは、４個のサブ画素に分けられ、１つの第３発光部グループＢＰＸＧ内の４個の前記第３発光部Ｂは、それぞれ、互いに異なる画素ユニットＰＸＵに含まれるようになる。
【００５０】
ここで、互いに最も近くに配置される３個の第１発光部Ｇ、第２発光部Ｒ、及び第３発光部Ｂが、１つの画素ユニットＰＸＵをなすことができる。前記１つの画素ユニットＰＸＵにおける前記第１発光部Ｇ、前記第２発光部Ｒ、及び第３発光部Ｂは、三角形の形態に配置されうる。ここで、前記三角形の形態は、直角二等辺三角形でありうる。
【００５１】
前記第１発光部Ｇは緑色光を放出し、前記第２発光部Ｒは赤色光を放出し、前記第３発光部Ｂは青色光を放出するのでありうる。
【００５２】
前記第１発光部グループＧＰＸＧ、前記第２発光部グループＲＰＸＧ、及び前記第３発光部グループＢＰＸＧは、いずれも、円形の形態を有することができる。
【００５３】
ここで、前記第１発光部グループＧＰＸＧ、前記第２発光部グループＲＰＸＧ、及び前記第３発光部グループＢＰＸＧは、それぞれの色の光を放出する発光層を含むことができる。
【００５４】
前記第１発光部グループＧＰＸＧ、前記第２発光部グループＲＰＸＧ、及び前記第３発光部グループＢＰＸＧにおける前記発光層は、インクジェットプリンティング、ノズルプリンティング、グラビアプリンティング、スクリーンプリンティング、スプレープリンティング、または静電噴霧プリンティング方式を用いて形成できる。例えば、前記発光層は、液滴堆積（droplet deposition）またはインクジェットプリンティングの技法により、選択的に蒸着できる。
【００５５】
本実施形態によれば、１つの発光部グループは、複数の画素にそれぞれ含まれる複数の発光部を含み、前記１つの発光部グループの発光層のパターニングにおける解像度より高い解像度で、発光部、即ちサブ画素を構成することができる。したがって、前記発光層のパターニングの解像力よりも高い解像度の表示装置を具現することができる。特に、前記第１発光部グループＧＰＸＧ及び前記第２発光部グループＲＰＸＧは、各々８個の発光部に分けられ、前記第３発光部グループＢＰＸＧは４個の発光部に分けられるので、前記発光層をプリンティングする解像力の４倍の解像度を具現することができる。
【００５６】
図３ａは、図２の表示装置の１つの第１発光部グループＧＰＸＧに対応する断面図である。
【００５７】
図２及び図３ａを参照すると、前記表示装置は、薄膜トランジスタ基板１００と、前記薄膜トランジスタ基板１００上に配置される、第１画素電極１１０ａ、第２画素電極１１０ｂ、発光部グループ区画膜ＰＤＬ１、及び、発光部区画膜ＰＤＬ２と、発光層１２０、及び対向電極１３０とを含むことができる。
【００５８】
前記薄膜トランジスタ基板１００は、基板と、前記基板上に配置される、配線層、及び複数の薄膜トランジスタとを含むことができる。例えば、前記配線層は、複数のゲートライン、及び、前記ゲートラインと交差する複数のデータラインを含むことができ、前記薄膜トランジスタは、前記ゲートライン及び前記データラインに電気的に連結されるのでありうる。
【００５９】
前記薄膜トランジスタ基板１００上には、(i) 互いに異なる画素ユニットにそれぞれ含まれる８個の第１発光部Ｇを各々が含む第１発光部グループＧＰＸＧ、前記薄膜トランジスタ基板上に配置され、(ii) 互いに異なる画素ユニットにそれぞれ含まれる８個の第２発光部を各々が含む第２発光部グループ、及び、(iii) 互いに異なる画素ユニットにそれぞれ含まれる４個の第３発光部を各々が含む第３発光部グループが、含まれるのでありうる。（図２参照）
【００６０】
前記第１発光部グループＧＰＸＧは、各々が、８個の前記第１発光部Ｇにそれぞれ対応する８個の画素電極１１０ａ、１１０ｂと、前記８個の画素電極に、まとめて重ねられる１つの発光層１２０と、前記発光層１２０に重なるように配置される対向電極１３０とを含むことができる。
【００６１】
図面上には、前記８個の画素電極のうち、第１画素電極１１０ａと第２画素電極１１０ｂが図示されている。前記第１画素電極１１０ａ及び前記第２画素電極１１０ｂは、各々が、１つのサブ画素をなす発光部に対応して形成され、互いに離隔されうる。
【００６２】
前記発光部グループ区画膜ＰＤＬ１は、前記薄膜トランジスタ基板１００上に配置され、発光部グループごとの開口を形成しうる。前記発光部グループ区画膜ＰＤＬ１により画される各開口内に、前記第１画素電極１１０ａ及び前記第２画素電極１１０ｂが配置されうる。
【００６３】
前記第１画素電極１１０ａ及び前記第２画素電極１１０ｂが前記薄膜トランジスタ基板１００上に配置されてから、その上に、前記発光部グループ区画膜ＰＤＬ１の各開口内には、前記発光部区画膜ＰＤＬ２が、さらに配置されうる。前記発光部区画膜ＰＤＬ２は、前記第１画素電極１１０ａと前記第２画素電極１１０ｂとの間、及び、前記第１または第２画素電極１１０ａ、１１０ｂと前記発光部グループ区画膜ＰＤＬ１との間に配置されうる。前記発光部区画膜ＰＤＬ２は、前記第１画素電極１１０ａ及び前記第２画素電極１１０ｂの上面を露出させるように配置されるのであって、親液性物質を含むことができる。例えば、前記発光部区画膜ＰＤＬ２は、親液性である無機絶縁物質を含むことができる。
【００６４】
前記発光層１２０は、前記発光部グループ区画膜ＰＤＬ１の前記開口内に配置されうる。前記発光部グループ区画膜ＰＤＬ１は、撥液性物質を含むことができる。例えば、前記発光部グループ区画膜ＰＤＬ１は、撥液性である有機絶縁物質を含むことができる。したがって、前記発光層１２０を、インクジェットプリンティングなどの方法により形成する際、前記発光層１２０が、望まない領域に形成されることを防止することができる。
【００６５】
一方、前記発光層１２０に含まれる物質は、特別に制限されないのであり、蛍光または燐光のメカニズムにより、赤色、緑色、または青色の波長を放射できる有機発光物質を使用して、前記発光層１２０を形成することができる。
【００６６】
具体的に、前記発光層１２０は、インクジェットプリンティング、ノズルプリンティング、グラビアプリンティング、スクリーンプリンティング、スプレープリンティングまたは静電噴霧プリンティング方式を用いて形成できる。例えば、前記発光層１２０は液滴堆積またはインクジェットプリンティングの技法により、選択的に蒸着できる。
【００６７】
図示してはいないが、前記表示装置は、前記対向電極１３０上に配置される薄膜封止層をさらに含むことができる。前記薄膜封止層は、外部からの湿気及び酸素の侵入を防止することができる。前記薄膜封止層は、少なくとも１つの有機層と、少なくとも１つの無機層とを備えることができる。少なくとも１つの有機層と、少なくとも１つの無機層とは、互いに交互に積層されうる。例えば、前記薄膜封止層は、２つの無機層と、これらの間の１つの有機層とを含むことができるが、これに制限されない。他の実施形態において、前記薄膜封止層の代わりに、外気及び水分が前記表示装置の内部に侵入することを遮断するための封入基板が提供されるのでありうる。
【００６８】
図３ｂは、図２の表示装置の他の実施形態に従う、１つの第１発光部グループＧＰＸＧに対応する断面図である。
【００６９】
図３ｂを参照すると、前記表示装置は、発光部区画膜を含まないことを除いて、図３ａの表示装置と、実質的に同一である。したがって、反復した説明は省略する。
【００７０】
ここで、前記表示装置における発光部グループ区画膜ＰＤＬ１は、撥液性物質を含み、薄膜トランジスタ基板１００の上面、及び／又は、第１及び第２画素電極１１０ａ、１１０ｂの上面は、親液性物質を含むことができる。
【００７１】
図４は、本発明の一実施形態に従う表示装置の画素ユニットＰＸＵの配列の一部を示した平面図である。
【００７２】
図４を参照すると、前記表示装置は緑色光を放出する第１発光部Ｇを含む第１発光部グループＧＰＸＧが、いずれも４個の第１発光部Ｇに分けられ、赤色光を放出する第２発光部Ｒを含む第２発光部グループＲＰＸＧが、いずれも８個の第２発光部Ｒに分けられ、青色光を放出する第３発光部Ｂを含む第３発光部グループＢＰＸＧが、いずれも８個の第３発光部Ｂに分けられるということを除いて、図２の表示装置と実質的に同一である。したがって、反復した説明は省略する。
【００７３】
前記第１発光部グループＧＰＸＧ、前記第２発光部グループＲＰＸＧ、及び前記第３発光部グループＢＰＸＧは、いずれも、複数個形成されて、第１方向（Ｄ１）及び第２方向（Ｄ２）に沿ってマトリックス形態に配列されうる。
【００７４】
前記第１発光部グループＧＰＸＧは、各々が、互いに異なる画素ユニットにそれぞれ含まれる４個の第１発光部Ｇを含むことができる。前記第２発光部グループＲＰＸＧは、各々が、互いに異なる画素ユニットにそれぞれ含まれる８個の第２発光部Ｒを含むことができる。前記第３発光部グループＢＰＸＧは、各々が、互いに異なる画素ユニットにそれぞれ含まれる８個の第３発光部Ｂを含むことができる。
【００７５】
これによって、単位面積当たりの前記第１発光部グループＧＰＸＧの個数は、前記第２または第３発光部グループＲＰＸＧ、ＢＰＸＧの個数の２倍でありうる。
【００７６】
図５は、本発明の一実施形態に従う表示装置の画素ユニットＰＸＵの配列の一部を示した平面図である。
【００７７】
図５を参照すると、前記表示装置は、緑色光を放出する第１発光部Ｇを含む第１発光部グループＧＰＸＧが、いずれも８個の第１発光部Ｇに分けられ、赤色光を放出する第２発光部Ｒを含む第２発光部グループＲＰＸＧが、いずれも４個の第２発光部Ｒに分けられ、青色光を放出する第３発光部Ｂを含む第３発光部グループＢＰＸＧが、いずれも８個の第３発光部Ｂに分けられるということを除いて、図２の表示装置と実質的に同一である。したがって反復した説明は省略する。
【００７８】
前記第１発光部グループＧＰＸＧ、前記第２発光部グループＲＰＸＧ、及び前記第３発光部グループＢＰＸＧは、複数個形成されて、第１方向（Ｄ１））及び第２方向（Ｄ２）に沿ってマトリックスの形態に配列されうる。
【００７９】
前記第１発光部グループＧＰＸＧは、各々が、互いに異なる画素ユニットにそれぞれ含まれる８個の第１発光部Ｇを含むことができる。前記第２発光部グループＲＰＸＧは、各々が、互いに異なる画素ユニットにそれぞれ含まれる４個の第２発光部Ｒを含むことができる。前記第３発光部グループＢＰＸＧは、各々が、互いに異なる画素ユニットにそれぞれ含まれる８個の第３発光部Ｂを含むことができる。
【００８０】
これによって、単位面積当たりの前記第２発光部グループＲＰＸＧの個数は、前記第１または第３発光部グループＧＰＸＧ、ＢＰＸＧの個数の２倍でありうる。
【００８１】
図６は、本発明の一実施形態に従う表示装置の画素ユニットＰＸＵの配列の一部を示した平面図である。
【００８２】
図６を参照すると、前記表示装置は第１発光部グループＧＰＸＧ、第２発光部グループＲＰＸＧ、及び第３発光部グループＢＰＸＧが、いずれも、多角形の形状であるということを除いて、図２の表示装置と実質的に同一である。したがって、反復した説明は省略する。
【００８３】
前記第１発光部グループＧＰＸＧ及び前記第２発光部グループＲＰＸＧは、いずれも、八角形の形状でありうる。前記第３発光部グループＢＰＸＧは、四角形でありうる。
【００８４】
図７は、本発明の一実施形態に従う表示装置の画素ユニットＰＸＵの配列の一部を示した平面図である。
【００８５】
図７を参照すると、前記第１発光部グループ、前記第２発光部グループ、及び前記第３発光部グループのうちの少なくとも１つは、他の２つとそのサイズが異なるということを除いて、図２の表示装置と実質的に同一である。したがって、反復した説明は省略する。
【００８６】
本実施形態では、青色光を放出する第３発光部Ｂを含む第３発光部グループＢＰＸＧの単位面積当たりの個数が、緑色光を放出する第１発光部Ｇを含む第１発光部グループＧＰＸＧの単位面積当たりの個数、または、赤色光を放出する第２発光部Ｒを含む第２発光部グループＲＰＸＧの単位面積当たりの個数の２倍である。このことから、各色の発光面積を均一にするために、前記第３発光部グループＢＰＸＧのサイズを、前記第１発光部グループＧＰＸＧ及び前記第２発光部グループＲＰＸＧよりも、小さくすることができる。
【００８７】
本発明の実施形態によれば、表示装置は、複数の発光部グループを含む。１つの発光部グループは、複数の画素にそれぞれ含まれる複数の発光部を含むことから、前記１つの発光部グループの発光層をパターニングする際における解像度よりも高い解像度で、発光部、即ちサブ画素を構成することができる。したがって、前記発光層のパターニングの解像力よりも高い解像度の表示装置を具現することができる。特に、前記表示装置は、互いに異なる色の光を放出する、第１発光部グループ、第２発光部グループ、及び第３発光部グループを含み、前記第１発光部グループ及び前記第２発光部グループは、いずれも各々が８個の発光部に分けられ、第３発光部グループは、各々が４個の発光部に分けられる。したがって、前記発光層をプリンティングする解像力の４倍の解像度を具現することができる。
【００８８】
図８は本発明の実施形態に従う電子機器を示すブロック図であり、図９ａは図８の電子機器がテレビとして具現された一例を示す図であり、図９ｂは図８の電子機器がスマートフォンとして具現された一例を示す図である。
【００８９】
図８乃至図９ｂを参照すると、電子機器５００は、プロセッサ５１０、メモリ装置５２０、ストレージ装置５３０、入出力装置５４０、パワーサプライ５５０、及び表示装置５６０を含むことができる。この際、前記表示装置５６０は図１の表示装置に相応することができる。前記電子機器５００は、ビデオカード、サウンドカード、メモリカード、ＵＳＢ装置などと通信するか、または他のシステムと通信できる、いろいろなポート（port）をさらに含むことができる。一実施形態で、図９ａに図示したように、前記電子機器５００はテレビで具現できる。他の実施形態で、図９ｂに図示したように、前記電子機器５００はスマートフォンとして具現できる。但し、これは例示的なものであって、前記電子機器５００はそれに限定されない。例えば、前記電子機器５００は、携帯電話、ビデオフォン、スマートパッド（smart pad）、スマートウォッチ（smart watch）、タブレット（tablet）ＰＣ、車両用ナビゲーション、コンピュータモニター、ノートブック、ヘッドマウントディスプレイ（head-mounted display；ＨＭＤ）などとしても具現されうる。
【００９０】
前記プロセッサ５１０は、特定計算またはタスク（task）を遂行することができる。実施形態によって、前記プロセッサ５１０は、マイクロプロセッサ（micro processor）、中央処理ユニット（Central Processing Unit；ＣＰＵ）、アプリケーションプロセッサ（Application Processor；ＡＰ）などでありうる。前記プロセッサ５１０は、アドレスバス（address bus）、制御バス（control bus）、及びデータバス（data bus）などを通じて、他の構成要素に連結されうる。実施形態によって、前記プロセッサ５１０は、周辺構成要素の相互連結（Peripheral Component Interconnect；ＰＣＩ）バスといった拡張バスにも連結されうる。前記メモリ装置５２０は、前記電子機器５００の動作に必要なデータを格納することができる。例えば、前記メモリ装置５２０は、ＥＰＲＯＭ（Erasable Programmable Read-Only Memory）装置、ＥＥＰＲＯＭ（Electrically Erasable Programmable Read-Only Memory）装置、フラッシュメモリ装置（flash memory device）、ＰＲＡＭ（Phase Change Random Access Memory）装置、ＲｅＲＡＭ（Resistance Random Access Memory）装置、ＮＦＧＭ（Nano Floating Gate Memory）装置、ＰｏＲＡＭ（Polymer Random Access Memory）装置、ＭＲＡＭ（Magnetic Random Access Memory）、ＦｅＲＡＭ（Ferroelectric Random Access Memory）装置などの不揮発性メモリ装置、及び／又は、ＤＲＡＭ（Dynamic Random Access Memory）装置、ＳＲＡＭ（Static Random Access Memory）装置、モバイルＤＲＡＭ装置などの揮発性メモリ装置を含むことができる。前記ストレージ装置５３０は、ソリッドステートドライブ（Solid State Drive；ＳＳＤ）、ハードディスクドライブ（Hard Disk Drive；ＨＤＤ）、ＣＤ−ＲＯＭなどを含むことができる。前記入出力装置５４０は、キーボード、キーパッド、タッチパッド、タッチスクリーン、マウスなどの入力手段、及び、スピーカー、プリンタなどの出力手段を含むことができる。前記パワーサプライ５５０は、前記電子機器５００の動作に必要なパワーを供給することができる。
【００９１】
前記表示装置５６０は、前記バスまたは他の通信リンクを通じて、他の構成要素に連結されうる。実施形態によって、前記表示装置５６０は、前記入出力装置５４０に含まれることもありうる。前述したように、前記表示装置５６０の１つの発光部グループは、複数の画素にそれぞれ含まれる複数の発光部を含むのであり、前記１つの発光部グループの発光層に、パターニングにおける解像度よりも高い解像度で、発光部、即ちサブ画素を構成することができる。したがって、前記発光層のパターニングの解像力よりも高い解像度の表示装置を具現することができる。特に、前記表示装置は、互いに異なる色の光を放出する第１発光部グループ、第２発光部グループ、及び第３発光部グループを含み、前記第１発光部グループ及び前記第２発光部グループは、いずれも各々が８個の発光部に分けられ、第３発光部グループは各々が４個の発光部に分けられる。したがって、前記発光層をプリンティングする解像力の４倍の解像度を具現することができる。
【００９２】
但し、これに対しては前述したことがあるので、それに対する重複説明は省略する。
【産業上の利用可能性】
【００９３】
本発明は有機発光表示装置及びこれを含む多様な電子機器に適用できる。例えば、本発明は、携帯電話、スマートフォン、ビデオフォン、スマートパッド、スマートウォッチ、タブレットＰＣ、車両用ナビゲーション、テレビ、コンピュータモニター、ノートブック、ヘッドマウントディスプレイなどに適用できる。
【００９４】
以上、本発明の例示的な実施形態を参照して説明したが、該当技術分野で通常の知識を有する者であれば、以下の特許請求範囲に記載された本発明の思想及び領域から逸脱しない範囲内で本発明を多様に修正及び変更させることができることを理解することができる。
【００９５】
好ましい一実施形態によると、本件発明の背景及び課題は下記(i)〜(v)のとおりである。
【００９６】
(i) 有機発光表示装置（OLED）または液晶表示装置(LCD)においては、R, G, B（赤、緑、青）などの原色のサブ画素（subpixel; 画素ドット）が、マトリクス状に配列されている。
【００９７】
有機発光表示装置（OLED）の場合、各サブ画素は、画素電極と、一つの原色の発光層パターンとから形成される。
【００９８】
また、量子ドット（quantum dot）を用いる液晶表示装置(LCD)の場合、各画素ドット（サブ画素）は、画素電極と、一つの原色の波長変換層パターン（及び色純度の向上のための着色パターン）とから形成される。
【００９９】
(ii) データ信号により指定された色彩及び階調を表現する各画素（pixel）は、例えば、R, G, Bの３つの原色をそれぞれ示す、３つのサブ画素の組み合わせからなる。各画素（pixel）は、場合により、R, G, B, YもしくはR, G, B, WまたはR, G, B, Y, W（赤、緑、青、黄、白）といった４〜５個のサブ画素からなる。
【０１００】
(iii) したがって、単位面積あたりの画素（pixel）の数は、単位面積あたりの画素ドット（サブ画素; subpixel）の数を、３または４などの数で割った数となる。
【０１０１】
(iv) 近年、例えば、スマートフォンやタブレット端末などにて、フルＨＤ（縦１９２０×横１０８０）や、それ以上の解像度が要求される場合がある
【０１０２】
(v) 表示画像の解像度を向上させるためには、発光層や波長変換層などのドット状の発色パターンについて、サイズを小さくする必要がある。
【０１０３】
しかし、一方では、発色のバラツキを抑えるべく、発色パターンの厚みなどについて、高精度にコントロールする必要がある。
そのため、インクジェットなどにより発色パターンを形成するにあたり、装置や工程の負担が大きくなり、生産効率を下げる原因となりうる。
【０１０４】
そこで、本件発明者は、画素ドット（サブ画素）の形状や配置の様式を最適化することを試みた。
その中で、ドット状の発色パターンを放射状に分割するという、斬新な着想を得た。すなわち、ドットの中心から放射状に延びる線に沿って、発色パターンを複数（特には偶数）の領域に分割し、分割した扇状または2等分三角形の部分を、画素ドット（サブ画素）とするという着想を得た。
【０１０５】
この点を整理するならば、下記Ａ１〜Ａ４のとおりに行うのである。また、下記Ａ５〜Ａ７の少なくとも一つとすることができる。
【０１０６】
Ａ１  ドット状の発色パターンをマトリックスの形態に配列する。この際、最も近接する発色パターン同士では、互いに異なる原色を示すようにする。
【０１０７】
Ａ２  発色パターンの各ドットを放射状に分割する。すなわち、扇状、くさび状などの放射分割領域をなすようにする。
【０１０８】
Ａ３  この分割ためには、発色パターンに重ね合わされる画素電極を分割する。
すなわち、一つの発色パターンの領域中にて、複数の画素電極がスリットを挟んで、互いに隔離されるようにすることができる。
【０１０９】
Ａ４  隣り合う３つのドット状発色パターンの間で、または、４つ、もしくは５つのドット状発色パターンの間で、放射分割領域同士を、一つに組み合わせて、サブ画素が形成されるようにする。
すなわち、互いに異なる原色を示す３つ以上の放射分割領域が、組み合わさって一のサブ画素をなすようにする。
【０１１０】
Ａ５  この際、互いに近接する発色パターンの中心同士を結ぶ直線がなす、三角形、または、四角形もしくは五角形が、サブ画素の領域（「画素ユニット」）をなすようにすることができる。
【０１１１】
Ａ６  発色パターンは、好ましい一形態において円形であるが、楕円形、長円形（race-track oval）、卵形（egg oval）、正多角形（例えば、正六角形、正八角形、または正方形）などであってもよい。
【０１１２】
Ａ７  放射状に分割するにあたり、発色パターンの図形の重心（特には円の中心）から少し位置がずれた点を基準にて分割するのであってもよい。
【０１１３】
特には、下記Ｂ１〜Ｂ２とするか、または、Ｃ１〜Ｃ６の少なくとも一つとすることができる。
Ｂ１  例えば、互いに近接する３つ（R, G, B）のドット状の発色パターンについての、中心同士を結ぶ直線が、正三角形をなすように配置する。
言い換えると、ドット状の発色パターンについて、中心同士を結ぶ直線が、正三角形の網目の格子をなすように配置する。すなわち、ドットの中心同士を結ぶ直線により形成される格子は、その格子点が、いずれも、網目をなす正三角形の頂点となるようにする。
【０１１４】
Ｂ２  上記Ａ５を前提として、ドット状の各発色パターンを、発色パターンの中心同士を結ぶ直線に沿って、均等に６分割する。このようにして、格子の網目をなす各正三角形が、サブ画素の領域（「画素ユニット」）をなすようにする。
なお、場合により、適宜に、正三角形から少し変形させた三角形の網目をなすようにすることができる。例えば、内角が５０〜７０°の三角形の網目をなすようにすることができる。
【０１１５】
Ｃ１  例えば、ドット状の発色パターンについて、その中心が、直交格子の格子点、または、７０°以上で交差する交差格子における格子点に位置するように配置する。
【０１１６】
Ｃ２  上記Ｃ１を前提として、R, G, Bなどの３つの原色の発色パターンが配列される場合には、いずれか一つの原色（例えばB）の発色パターンの数を、他の２つの原色（例えばR, G）の発色パターンの数の２倍とすることができる。
【０１１７】
Ｃ３  上記Ｃ１を前提として、ドット状の各発色パターンを、直交格子または交差格子に沿って、４分割することができる。このようにして、直交格子または交差格子の網目をなす各四角形が、サブ画素の領域（「画素ユニット」）をなすようにすることができる。
【０１１８】
Ｃ３-1  例えばR, G, B, YもしくはR, G, B, Wの４つの原色の発色パターンが配列される場合、各サブ画素は、４つの原色のそれぞれを示す４つの放射分割領域から形成される。
Ｃ３-2  上記Ｃ２を前提として、各サブ画素は、第１の原色を示す２つの放射分割領域と、第２の原色を示す１つの放射分割領域と、第３の原色を示す１つの放射分割領域とから形成されるのでありうる。
【０１１９】
Ｃ４  上記Ｃ２を前提として、他より数が多い上記第１の原色（例えばB）の発色パターンを４分割し、第２及び第３の原色（例えばR, G）の発色パターンを８分割することができる。
ここでの４分割は、直交格子または交差格子に沿って行うことができる。また、ここでの８分割は、直交格子または交差格子に沿って４分割を行った後、さらに、斜めに格子点同士を結ぶ線に沿って２分割することにより、行うことができる。
このようにして、一つの４分割の放射分割領域と、２つの８分割の放射分割領域とが組み合わさって、一つのサブ画素をなすようにすることができる。
【０１２０】
Ｃ４-1  このようにして得られるサブ画素の領域（「画素ユニット」）は、交差する格子に沿って延びる２つの辺と、格子に対して斜めに延びる一つの長い辺とからなる三角形でありうる。直交格子である場合、この三角形は、直角三角形である。
すなわち、直交格子または交差格子の格子に沿って、隣り合う格子点同士を結ぶ２つの線分（４分割の中心から延びる２つの短辺）と、格子の網目を挟んで向き合う２つの格子点を結ぶ線分（斜めの長辺）とからなる、三角形でありうる。
【０１２１】
Ｃ５  上記Ｃ３またはＣ４の場合、一つの原色（例えばB）の発色パターンについてのトータルの面積を、他のいずれかの原色（例えばR, G）の発色パターンについてのトータルの面積の１．５〜２．５倍、特には１．８〜２．２倍とすることができる。
すなわち、第１の原色（例えばB）の発色パターンの数が、第２の原色（例えばR）の発色パターンの数、及び、第３の原色（例えばG）の発色パターンの数の２倍であるのに伴い、第１の原色（例えばB）の発色パターンのトータルの面積が、第２の原色（例えばR）の発色パターンのトータルの面積、及び、第３の原色（例えばG）の発色パターンのトータルの面積の約２倍となるようにすることができる。
【０１２２】
Ｃ５-1  上記Ｃ４の場合、各サブ画素の領域（「各画素ユニット」）について、４分割の放射分割領域１つと、８分割の放射分割領域２つとからなり、４分割の放射分割領域の面積が、８分割の放射分割領域の面積の、約２倍となるように構成することができる。
【０１２３】
Ｃ６  上記Ｃ３またはＣ４の場合にも、３つの原色のそれぞれについての発色パターンのトータルの面積が、互いにほぼ等しくなるようにすることできる。
すなわち、第１の原色（例えばB）の発色パターンのトータルの面積が、第２の原色（例えばR）の発色パターンのトータルの面積、及び、第３の原色（例えばG）の発色パターンのトータルの面積の０．８〜１．２倍、特には０．９〜１．１倍となるように構成することができる。
【０１２４】
Ｃ６-1  上記Ｃ４の場合、４分割する第１の原色（例えばB）の各発色パターンの面積について、８分割する第２の原色（例えばR）の各発色パターンの面積、及び、８分割する第３の原色（例えばG）の各発色パターンの面積の約半分とすることができる。
【０１２５】
特に有機発光表示装置である場合に、下記Ｄ１〜Ｄ５のとおりの一連の工程により製造することができる。この際、下記Ｄ６またはＤ６〜Ｄ７とすることができる。
【０１２６】
Ｄ１  絶縁基板の上に、画素ごとの複数のＴＦＴ、及び、データ信号線、ゲート信号線エネルギー供給線を含む配線パターンを積層形成した薄膜トランジスタ基板100を用意する。
【０１２７】
Ｄ２  第１の区画膜PDL1を形成する。この第１の区画膜PDL1は、ドット状の発光層パターンを形成する箇所ごとに、開口が形成される。
【０１２８】
Ｄ３  上記Ｄ２より前または後に、薄膜トランジスタ基板100の上にて、ドット状の発光層パターンを形成する領域ごとに、分割された複数の画素電極110a, 110bが形成される。
【０１２９】
Ｄ４  上記Ｄ２及びＤ３の後に、開口内に、発光物質などを揮発性の溶媒に溶かして溶液が、インクジェット法などにより注入される。そして、乾燥工程を経て、各開口内の全領域にわたって、発光層のパターンが形成される。
【０１３０】
Ｄ５  この後、対向電極130が、少なくとも発光層のパターンを覆うように形成される。
次いで、この上に、封止層または封止基板が配置される。
【０１３１】
Ｄ６  上記Ｄ４より前に、上記各開口内にて、画素電極110a, 110b同士の間の間隙、及び、画素電極110a, 110bと、開口の内壁面との間を埋めるように、第２の区画膜PDL2を配置しておくことができる。
【０１３２】
Ｄ７  第２の区画膜PDL2は、好ましくは、上記Ｄ４の溶液に対して親和性の材料、すなわち濡れ性を有する材料により形成する。
また、第１の区画膜PDL1は、少なくとも、上記開口の内壁面の上部が、上記Ｄ４の溶液に対して非親和性の材料、すなわち濡れ性を有しない材料により形成される。
例えば、イソプロパノールといった親水性の溶媒を用いる場合、第１の区画膜PDL1を、アクリレートなどの非親水性の有機材料で形成し、第２の区画膜PDL2を酸化シリコンなどの親水性の無機材料で形成することができる。
【符号の説明】
【０１３３】
１００    薄膜トランジスタ基板
１１０ａ、１１０ｂ    第１及び第２画素電極
１２０    発光層
１３０    対向電極
ＧＰＸＧ    第１発光部グループ
ＲＰＸＧ    第２発光部グループ
ＢＰＸＧ    第３発光部グループ
Ｇ、Ｒ、Ｂ    第１乃至第３発光部
【図１】
2020190716.tif 000003
【図２】
2020190716.tif 000004
【図３ａ】
2020190716.tif 000005
【図３ｂ】
2020190716.tif 000006
【図４】
2020190716.tif 000007
【図５】
2020190716.tif 000008
【図６】
2020190716.tif 000009
【図７】
2020190716.tif 000010
【図８】
2020190716.tif 000011
【図９ａ】
2020190716.tif 000012
【図９ｂ】
2020190716.tif 000013